(57)【要約】【課題】  構造が簡単で低コストでありながら現場作業が容易であり、かつ信頼性の高いシャックルロッド回転防止構造を提供する。【解決手段】  複数本のワイヤロープ３Ｌ，３Ｍ，３Ｒのうちの１本３Ｌの先端部分３ｃを延設して各シャックルロッド１０Ｌ，１０Ｍ，１０Ｒのソケット１１の隙間部分に挿通し、その曲げ剛性を利用して係止部材７に対する各シャックルロッド１０Ｌ，１０Ｍ，１０Ｒの回転を防止する。【選択図】  図１
2006188315.tif 000002
【特許請求の範囲】
【請求項１】
エレベータの乗りかごおよび釣合錘を懸架する複数本のワイヤロープの端部をそれぞれ係止部に係止するためのシャックルロッドが、前記ワイヤロープと一体に回転することを防止する構造であって、
前記複数本のワイヤロープのうちの１本の端部近傍部分を第１のシャックルロッドに固定するとともに、このワイヤロープの端部を延設して前記第１のシャックルロッドに挿通した後、前記第１のシャックルロッドに隣接している第２のシャックルロッドに挿通したことを特徴とするエレベータのシャックルロッド回転防止構造。
【請求項２】
前記ワイヤロープの端部のうち前記第１および第２のシャックルロッドの隙間部分に挿通する部分に軟質の被覆部材を被せたことを特徴とする請求項１に記載したエレベータのシャックルロッド回転防止構造。
【請求項３】
前記ワイヤロープの端部のうち、前記第２のシャックルロッドに挿通されて延び出ている部分に抜け止め部材を装着したことを特徴とする請求項１または２に記載したエレベータのシャックルロッド回転防止構造。
【請求項４】
エレベータの乗りかごおよび釣合錘を懸架する複数本のワイヤロープの端部をそれぞれ係止部に係止するためのシャックルロッドが、前記ワイヤロープと一体に回転することを防止する構造であって、
前記複数本のワイヤロープの端部がそれぞれ前記シャックルロッドのソケットから延び出る部分を一体に挟持する第１の挟持部材を備えることを特徴とするエレベータのシャックルロッド回転防止構造。
【請求項５】
エレベータの乗りかごおよび釣合錘を懸架する複数本のワイヤロープの端部をそれぞれ係止部に係止するための複数のシャックルロッドが、前記ワイヤロープと一体に回転することを防止する構造であって、
前記複数のシャックルロッドのうち、前記ワイヤロープと平行に延びつつ互いに対向する２つの側面を有した部分を一体に挟持する第２の挟持部材を備えることを特徴とするエレベータのシャックルロッド回転防止構造。
【発明の詳細な説明】
【技術分野】
【０００１】
本発明は、エレベータの乗りかごや釣合錘を懸架しているワイヤロープの端部を係止するために用いるシャックルロッドが、ワイヤロープのねじれに伴ってその軸線回りに回転することを防止する構造に関し、より詳しくは、構造が簡単で低コストでありながら現場作業が容易であり、かつ信頼性の高いシャックルロッド回転防止構造に関する。
【背景技術】
【０００２】
従来のエレベータにおいては、図６に示したように、トラクションシーブ１およびそらせシーブ２に巻き掛けたワイヤロープ３によって乗りかご４および釣合錘５を釣瓶状に懸架しているが、ワイヤロープ３の一端３ａは乗りかご４に係止され、他端３ｂは釣合錘５に係止されている。
また、図７に示したように、かご側シーブ４ａおよび錘側シーブ５ａを介して乗りかご４および釣合錘５を懸架する構造のエレベータにおいては、ワイヤロープ３の両端３ａ，３ｂがそれぞれマシンビーム６に係止されている。
【０００３】
このとき、ワイヤロープ３の両端３ａ，３ｂは、図８に示したようにそれぞれシャックルロッド１０を介して係止部材７に係止されるが、このシャックルロッド１０は、ワイヤロープ３の端部を保持するソケット１１と、このソケット１１を係止部材７に係止するロッド１２とを有している（例えば、下記特許文献１を参照）。
【０００４】
ソケット１１は、ワイヤロープ３の端部が巻回されるクサビ部材１３を収納する台形状中空部分１１ａと、この台形状中空部分１１ａの両側面から延設されて隙間を開けつつ互いに平行に延びる一対の延設部分１１ｂ，１１ｃとを有している。
ロッド１２の頭部１２ａは、これらの延設部分１１ｂ，１１ｃの間の隙間部分に挿入され、連結軸１４によってソケット１１に連結される。
また、ロッド１２の先端１２ｂは、係止部材７の挿通孔に挿通された後、コイルばね１５、ワッシャ１６およびダブルロックナット１７が取り付けられて、係止部材７に対して弾性的に支持される。
【０００５】
ところで、乗りかご４および釣合錘５が昇降すると、ワイヤロープ３にねじれが発生するため、シャックルロッド１０がワイヤロープ３と一体に回転し、ダブルロックナット１７に回転力が作用するおそれがある。
【０００６】
そこで、図８に示したように、複数本のワイヤロープ３をそれぞれ係止している各シャックルロッド１０のソケット１１の隙間部分にボルト１８を挿通してダブルロックナット１８ａで抜け止めし、全てのシャックルロッド１０の回転を防止する構造が用いられている（例えば下記特許文献２を参照）。
【０００７】
あるいは、図９に示したように、各シャックルロッド１０のソケット１１の隙間部分にワイヤ１９を挿通した後、このワイヤ１９の両端をかしめ部材１９ａによって保持することにより、シャックルロッド１０の回転を防止する構造が用いられている。
【０００８】
【特許文献１】特開平５−３９１８０号公報
【特許文献２】特開２００４−１３７０１９号公報
【発明の開示】
【発明が解決しようとする課題】
【０００９】
しかしながら、図８に示した従来のシャックルロッド回転防止構造においては、例えば３本のワイヤロープ３の長さの違いにより、各シャックルロッド１０のソケット１１間に上下方向位置の差が生じると、各ソケット１１の隙間部分にボルト１８を挿通できなくなる場合があった。
【００１０】
また、図９に示した従来のシャックルロッド回転防止構造においては、シャックルロッド１０がワイヤロープ３と一体に回転すると、ワイヤ１９がソケット１１に巻き取られ、隣接するシャックルロッド１０同士を接近させるおそれがあった。
【００１１】
そこで本発明の目的は、上述した従来技術が有する問題点を解消し、構造が簡単で低コストでありながら現場作業が容易であり、かつ信頼性の高いシャックルロッド回転防止構造を提供することにある。
【課題を解決するための手段】
【００１２】
上記の課題を解決するための請求項１に記載した手段は、エレベータの乗りかごおよび釣合錘を懸架する複数本のワイヤロープの端部をそれぞれ係止部に係止するためのシャックルロッドが、前記ワイヤロープと一体に回転することを防止する構造であって、
前記複数本のワイヤロープのうちの１本の端部近傍部分を第１のシャックルロッドに固定するとともに、
このワイヤロープの端部を延設して前記第１のシャックルロッドに挿通した後に、前記第１のシャックルロッドに隣接している第２のシャックルロッドに挿通したことを特徴としている。
【００１３】
すなわち、請求項１に記載したエレベータのシャックルロッド回転防止構造は、複数本のワイヤロープのうちの１本の先端部分を延設して各シャックルロッドに挿通し、その曲げ剛性を利用して各シャックルロッドの回転を防止するものである。
このとき、各ワイヤロープの長さの違いに伴って各シャックルロッドの上下方向位置に差が生じていても、１本のワイヤロープの先端を湾曲させながら各シャックルロッドに挿通することができる。
また、ワイヤロープの曲げ剛性は比較的高いから、シャックルロッドに巻き取られることもなく、シャックルロッドの回転を確実に防止することができる。
さらに、複数本のワイヤロープのうちの１本を利用するものであるから、構造が簡単で低コストであり、現場作業も容易に行うことができる。
【００１４】
なお、請求項２に記載したように、ワイヤロープの端部のうち前記第１および第２のシャックルロッドに挿通する部分に、軟質の被覆部材を被せることができる。
これにより、乗りかごや釣合錘の昇降に伴ってワイヤロープに生じた振動がシャックルロッドに伝わったときに、ワイヤロープの端部のうちシャックルロッドに挿通されている部分がシャックルロッドに当たって異音が生じることを防止できる。
また、個々のシャックルロッドに軟質部材を取り付けるのではなく、ワイヤロープの端部の端部に軟質部材を被せるのであるから、現場作業を容易に行うことができる。
なお、軟質の被覆部材は、例えばゴム製スポンジやビニールチューブ等の高分子材料製の筒状部材や、布やビニール等のテープを用いることもできる。
【００１５】
また、請求項３に記載したように、ワイヤロープの端部のうち、前記第２のシャックルロッドに挿通されて延び出ている部分の先端に、抜け止め部材を装着することができる。
これにより、ワイヤロープの端部のうち第２のシャックルロッドに挿通されて延び出ている部分が第１のシャックルロッドの側に抜け出ようとしても、抜け止め部材が第２のシャックルロッドに干渉してその抜け出しを阻止する。
したがって、ワイヤロープによって第１および第２のシャックルロッドの回転を防止する機能の信頼性をより向上させることができる。
【００１６】
また、上記の課題を解決するための請求項４に記載した手段は、エレベータの乗りかごおよび釣合錘を懸架する複数本のワイヤロープの端部をそれぞれ係止部に係止するためのシャックルロッドが、前記ワイヤロープと一体に回転することを防止する構造であって、
前記複数本のワイヤロープの端部が、それぞれ前記シャックルロッドのソケットから延び出る部分を一体に挟持する第１の挟持部材を備えることを特徴とする。
【００１７】
すなわち、請求項４に記載したエレベータのシャックルロッド回転防止構造は、複数本のワイヤロープがそれぞれシャックルロッドから延び出る部分を第１の挟持部材によって一体に挟持する構造であるから、各ワイヤロープの長さの違いに伴って各シャックルロッドの上下方向位置に差が生じても、第１の挟持部材は各シャックルロッドと干渉することなく各ワイヤロープを挟持することができる。
これにより、各ワイヤロープは独自に回転することができなくなるから、各シャックルロッドの回転を防止することが可能となる。
特に、シャックルロッドがくさび形である場合には、ワイヤロープのうちソケット内に入り込む部分とクサビ部材に巻き付けられてソケットから延び出る部分とが密着する。
したがって、複数本のワイヤロープの各密着部分を第１の挟持部材によって一体に挟持すると、各シャックルロッドの回転をより確実に防止することが可能となる。
【００１８】
上記の課題を解決するための請求項５に記載した手段は、エレベータの乗りかごおよび釣合錘を懸架する複数本のワイヤロープの端部をそれぞれ係止部に係止するための複数のシャックルロッドが、前記ワイヤロープと一体に回転することを防止する構造であって、  前記複数のシャックルロッドのうち、前記ワイヤロープと平行に延びつつ互いに対向する２つの側面を有した部分を一体に挟持する第２の挟持部材を備えることを特徴とする。
【００１９】
すなわち、請求項５に記載したエレベータのシャックルロッド回転防止構造は、各シャックルロッドのうちワイヤロープと平行に延びつつ互いに対向する２つの側面を有した部分を第２の挟持部材によって一体に挟持するものであるから、各ワイヤロープの長さの違いに伴って各シャックルロッドの上下方向位置に差が生じても、第２の挟持部材は各シャックルロッドを確実に挟持することができる。
これにより、各シャックルロッドは独自に回転することができなくなるから、各シャックルロッドの回転を確実に防止することが可能となる。
特に、シャックルロッドがくさび形である場合には、ソケットのうちワイヤロープを巻き付けるクサビ部材を収納する中空部分が全体的に平坦な形状となる。
したがって、各ソケットの平坦な部分を第２の挟持部材によって一体に挟持することにより、各シャックルロッドの回転をより一層確実に防止することが可能となる。
【発明の効果】
【００２０】
以上の説明から明らかなように、本発明によれば、構造が簡単で低コストでありながら現場作業が容易であり、かつ信頼性の高いシャックルロッド回転防止構造を提供することができる。
【発明を実施するための最良の形態】
【００２１】
以下、図１乃至図５を参照し、本発明に係るエレベータのシャックルロッド回転防止構造の各実施形態について詳細に説明する。
なお、以下の説明においては、前述した従来技術を含めて同一の部分には同一の符号を用いて重複した説明を省略するとともに、ワイヤロープが延びる方向を上下方向と言い、複数本のワイヤロープが一列に並ぶ方向を左右方向と言う。
【００２２】
第１実施形態
まず最初に図１を参照し、第１実施形態のエレベータのシャックルロッド回転防止構造について詳細に説明する。
【００２３】
図１に示したエレベータのシャックルロッド回転防止構造１００においては、各シャックルロッド１０Ｌ，１０Ｍ，１０Ｒによってそれぞれ係止部材７に係止されている３本のワイヤロープ３Ｌ，３Ｍ，３Ｒのうち、図示左端のワイヤロープ３Ｌの端部を延設して各シャックルロッド１０Ｌ，１０Ｍ，１０Ｒに挿通することにより、係止部材７に対する各シャックルロッド１０Ｌ，１０Ｍ，１０Ｒの回転を防止している。
【００２４】
そのため、図示左端のシャックルロッド１０Ｌのソケット１１にロッド１２を連結する前に、ワイヤロープ３Ｌの先端をソケット１１の上部開口から台形状中空部分１１ａに挿通して下方に引き出した後、クサビ部材１３に巻き付けてから上方に向けて延設し、ソケット１１の下部開口から台形状中空部分１１ａに挿通してソケット１１の上部開口から上方に引き出す。
そして、クサビ部材１３をソケット１１の台形状中空部分１１ａに収納したときに、ワイヤロープ３Ｌの端部３ｃが充分な長さを有してソケット１１から上方に延び出るようにする。
【００２５】
そして、ワイヤロープ３Ｌのうちソケット１１から図示上方に向かって２本並んで延び出る部分をワイヤクリップ２１によって固縛し、ワイヤロープ３Ｌのソケット１１に対する固定を完了した後、ソケット１１にロッド１２を連結し、シャックルロッド１０Ｌを係止部材７に係止する。
【００２６】
一方、他のワイヤロープ１０Ｍ，１０Ｒについては、それらの先端が各ソケット１１から長く延び出ないようにしながら同様に作業し、各シャックルロッド１０Ｍ，１０Ｒをそれぞれ係止部材７に係止する。
【００２７】
その後、図示左端のワイヤロープ３Ｌの先端３ｃを各シャックルロッド１０Ｌ，１０Ｍ，１０Ｒの隙間部分、すなわち各ソケット１１の互いに平行に延びる一対の延設部分１１ｂ，１１ｃの間にそれぞれ挿通し、図示右端のシャックルロッド１０Ｒのソケット１１から図示右方に引き出す。
【００２８】
このとき、各ワイヤロープ３Ｌ，３Ｍ，３Ｒの長さの違いに伴って各シャックルロッド１０Ｌ，１０Ｍ，１０Ｒのソケット１１に上下方向位置の差が生じていても、ワイヤロープ３Ｌの先端３ｃを湾曲させながら各ソケット１１に挿通することができる。
【００２９】
ワイヤロープ３Ｌの曲げ剛性は比較的高いから、乗りかごおよび釣合錘の昇降に伴って例えば中央のワイヤロープ３Ｍにねじり力が作用し、中央のシャックルロッド１０Ｍがワイヤロープ３Ｍと一体に回転しようとしても、ワイヤロープ３Ｌの端部３ｃが中央のシャックルロッド１０Ｍによって巻き取られることはない。
これにより、係止部材７に対する各シャックルロッド１０Ｌ，１０Ｍ，１０Ｒのその軸線回りの回転を確実に防止することができる。
【００３０】
さらに、本第１実施形態のシャックルロッド回転防止構造１００は、３本のワイヤロープ３Ｌ，３Ｍ，３Ｒのうちの１本３Ｌの端部３ｃを利用するものであるから、構造が簡単で低コストであり、現場作業も容易に行うことができる。
【００３１】
第１変形例
次に図２を参照し、上述した第１実施形態のエレベータのシャックルロッド回転防止構造の第１変形例について説明する。
【００３２】
図２に示した第１変形例のエレベータのシャックルロッド回転防止構造１１０は、図示左端のワイヤロープ３Ｌの先端３ｃのうち、各シャックルロッド１０Ｌ，１０Ｍ，１０Ｒのソケット１１に挿通されている部分に、軟質なゴム製スポンジのチューブ（被覆部材）３ｄを嵌装した点に特徴がある。
【００３３】
すなわち、本第１変形例のシャックルロッド回転防止構造１１０においては、ワイヤロープ３Ｌの先端３ｃがゴム製スポンジチューブ３ｄを介して各ソケット１１に挿通され保持されているから、乗りかごや釣合錘の昇降に伴って各ワイヤロープ３Ｌ，３Ｍ，３Ｒに生じた振動が各シャックルロッド１０Ｌ，１０Ｍ，１０Ｒに伝わっても、ワイヤロープ３Ｌの先端３ｃが各ソケット１１に衝接して異音を生じることがない。
【００３４】
第２変形例
次に図３を参照し、上述した第１実施形態のエレベータのシャックルロッド回転防止構造の第２変形例について説明する。
【００３５】
図３に示した第２変形例のエレベータのシャックルロッド回転防止構造１２０は、上述した第１変形例に対し、ワイヤロープ３Ｌの先端３ｃのうち右端のシャックルロッド１０Ｒのソケット１１に挿通されて延び出ている部分にワイヤクリップ（抜け止め部材）３ｅが取り付けられている点に特徴がある。
【００３６】
すなわち、本第２変形例のシャックルロッド回転防止構造１２０においては、ワイヤロープ３Ｌの端部３ｃのうち、右端のシャックルロッド１０Ｒのソケット１１の隙間部分に挿通されて図示右側に延び出ている部分が、例えば乗りかごや釣合錘の昇降に伴う振動によって中央のシャックルロッド１０Ｍの側に抜け出ようとしても、ワイヤクリップ３ｅが右端のシャックルロッド１０Ｒのソケット１１に干渉してその抜け出しを阻止する。
これにより、ワイヤロープ３Ｌの端部３ｃが各シャックルロッド１０Ｌ，１０Ｍ，１０Ｒのソケット１１から抜け出ることがないから、係止部材７に対する各シャックルロッド１０Ｌ，１０Ｍ，１０Ｒの回転を長期間にわたって確実に防止することができる。
【００３７】
第２実施形態
次に図４を参照し、第２実施形態のエレベータのシャックルロッド回転防止構造について詳細に説明する。
【００３８】
図４に示したエレベータのシャックルロッド回転防止構造２００においては、３本のワイヤロープ３Ｌ，３Ｍ，３Ｒのうち、各シャックルロッド１０Ｌ，１０Ｍ，１０Ｒのソケット１１からそれぞれ上方に向かって２本並んで延び出ている部分３ｆを、第１の挟持部材３０によって一体に挟持することにより、係止部材７に対する各シャックルロッド１０Ｌ，１０Ｍ，１０Ｒの回転を防止するようになっている。
【００３９】
すなわち、各ワイヤロープ３Ｌ，３Ｍ，３Ｒの端部は、各ソケット１１の台形状中空部分１１ａに収納されている平坦なクサビ部材１３に巻き付けられているため、各ソケット１１から上方に向かって延び出る部分３ｆは、２本のワイヤロープが密着した状態となっている。
また、各シャックルロッド１０Ｌ，１０Ｍ，１０Ｒが図示左右方向に一列に並んでいるから、各ソケット１１の向きを定めることにより、各ワイヤロープ３Ｌ，３Ｍ，３Ｒの密着部分３ｆの合計６本のワイヤロープを図示左右方向に一列に並べることができる。
【００４０】
したがって、第１の挟持部材３０を構成している前後一対の平板３１，３２により、各ワイヤロープ３Ｌ，３Ｍ，３Ｒの密着部分３ｆの合計６本のワイヤロープを一体に挟持しつつ、左右一対のボルトナット３３，３４を用いて締め付けると、各ワイヤロープ３Ｌ，３Ｍ，３Ｒの密着部分３ｆは一体に固定されて個別に回転できなくなるから、各シャックルロッド１０Ｌ，１０Ｍ，１０Ｒもまた係止部材７に対して個別に回転できなくなる。
【００４１】
また、各ワイヤロープ３Ｌ，３Ｍ，３Ｒの端部を固縛しているワイヤクリップ２１は、各ソケット１１から所定の距離だけ上方に離間した位置に取り付けられている。
これにより、各ワイヤロープ３Ｌ，３Ｍ，３Ｒの長さの違いに伴って各シャックルロッド１０Ｌ，１０Ｍ，１０Ｒの上下方向位置に差が生じても、第１の挟持部材３０は、各ソケット１１および各ワイヤクリップ２１と干渉することなしに、各ワイヤロープ３Ｌ，３Ｍ，３Ｒの密着部分３ｆを一体に挟持し、その個別の回転を防止することができる。
したがって、本第２実施形態のシャックルロッド回転防止構造２００によれば、係止部材７に対する各シャックルロッド１０Ｌ，１０Ｍ，１０Ｒの回転を確実に防止することができる。
【００４２】
第３実施形態
次に図５を参照し、第３実施形態のエレベータのシャックルロッド回転防止構造について詳細に説明する。
【００４３】
図５に示したエレベータのシャックルロッド回転防止構造３００においては、各シャックルロッド１０Ｌ，１０Ｍ，１０Ｒのソケット１１のうち全体的に平坦な形状を有している部分を第２の挟持部材４０によって一体に挟持することにより、係止部材７に対する各シャックルロッド１０Ｌ，１０Ｍ，１０Ｒの回転を防止するようになっている。
【００４４】
すなわち、各ワイヤロープ３Ｌ，３Ｍ，３Ｒの端部は、各ソケット１１の台形状中空部分１１ａに収納されている平坦なクサビ部材１３に巻き付けられているため、このクサビ部材１３を収納している各ソケット１１の台形状中空部分１１ａ、およびこの台形状中空部分１１ａから延設されている一対の延設部分１１ｂ，１１ｃは、全体的に平坦な形状となっている。
また、各シャックルロッド１０Ｌ，１０Ｍ，１０Ｒは図示左右方向に一列に並んでいるから、各ソケット１１の向きを揃えて図示左右方向に一列に並べることができる。
【００４５】
これにより、第２の挟持部材４０を構成している前後一対の平板４１，４２を各ソケット１１の互いに平行な前後の両側面１１ｄ，１１ｅにそれぞれ当接させつつ、左右一対のボルトナット４３，４４を用いて締め付けると、各ソケット１１は第２の挟持部材４０によって一体に固定されて個別に回転できなくなるから、各シャックルロッド１０Ｌ，１０Ｍ，１０Ｒもまた個別に回転できなくなる。
【００４６】
また、各ソケット１１の前後の両側面１１ｄ，１１ｅは、それぞれ各ワイヤロープ３Ｌ，３Ｍ，３Ｒと平行に延びている。
これにより、各ワイヤロープ３Ｌ，３Ｍ，３Ｒの長さの違いに伴って各ソケット１１の上下方向位置に差が生じても、第２の挟持部材４０は、各ソケット１１を一体に挟持してそれらの個別な回転を防止することができる。
したがって、本第３実施形態のシャックルロッド回転防止構造３００によれば、係止部材７に対する各シャックルロッド１０Ｌ，１０Ｍ，１０Ｒの回転を確実に防止することができる。
【００４７】
以上、本発明に係るエレベータのシャックルロッド回転防止構造の各実施形態ついて詳しく説明したが、本発明は上述した実施形態によって限定されるものではなく、種々の変更が可能であることは言うまでもない。
例えば、上述した実施形態は、いずれも３本のワイヤロープ３Ｌ，３Ｍ，３Ｒを例に取って説明しているが、ワイヤロープの本数が２本の場合や、より本数の多い場合においても、本発明のシャックルロッド回転防止構造を適用できることは言うまでもない。
【図面の簡単な説明】
【００４８】
【図１】第１実施形態のシャックルロッド回転防止構造を示す正面図（ａ）および側面図（ｂ）。
【図２】第１変形例のシャックルロッド回転防止構造を示す正面図（ａ）および側面図（ｂ）。
【図３】第２変形例のシャックルロッド回転防止構造を示す正面図（ａ）および側面図（ｂ）。
【図４】第１実施形態のシャックルロッド回転防止構造を示す正面図（ａ）および側面図（ｂ）。
【図５】第１実施形態のシャックルロッド回転防止構造を示す正面図（ａ）および側面図（ｂ）。
【図６】エレベータの基本構造を模式的に示す図。
【図７】エレベータの基本構造を模式的に示す図。
【図８】従来のシャックルロッド回転防止構造を説明する正面図（ａ）および側面図（ｂ）。
【図９】従来のシャックルロッド回転防止構造を説明する正面図（ａ）および側面図（ｂ）。
【符号の説明】
【００４９】
１  トラクションシーブ
２  そらせシーブ
３  ワイヤロープ
４  乗りかご
５  釣合錘
６  マシンビーム
７  係止部材
１０  シャックルロッド
１１  ソケット
１１ａ  台形状中空部分
１１ｂ，１１ｃ  延設部分
１１ｄ，１１ｅ  前後の側面
１２  ロッド
１３  クサビ部材
１４  連結軸
１５  コイルばね
１６  ワッシャ
１７  ダブルロックナット
１８  ボルト
１９  ワイヤ
２１  ワイヤクリップ
３０  第１の挟持部材
３１，３２  平板
３３，３４  ボルトナット
４０  第２の挟持部材
４１，４２  平板
４３，４４  ボルトナット
１００  第１実施形態のシャックルロッド回転防止構造
１１０  第１変形例のシャックルロッド回転防止構造
１２０  第２変形例のシャックルロッド回転防止構造
２００  第２実施形態のシャックルロッド回転防止構造
３００  第３実施形態のシャックルロッド回転防止構造
【図１】
2006188315.tif 000003
【図２】
2006188315.tif 000004
【図３】
2006188315.tif 000005
【図４】
2006188315.tif 000006
【図５】
2006188315.tif 000007
【図６】
2006188315.tif 000008
【図７】
2006188315.tif 000009
【図８】
2006188315.tif 000010
【図９】
2006188315.tif 000011